Podtech/llm-jp-corpus-v4-ja_patent huggingface dataset:
(57)【要約】【課題】本発明は、住所印や名称印に用いられる、合わせゴム印の印面保護機能を有するホルダーに関するものである。キャップ機能が求められるにもかかわらず、合わせ印の組み合わせごとに多種必要であるため、実現していなかった。【解決手段】合わせ印結合支持部分と同形状の支持構造体と、印面を保護する構造体を直角に配して、携帯時の強度を増大させ、印面の汚れを防止すると共に、携帯、保管に際して、印面に付着したインクが予期せぬ所に付着することを防止し、１種類で済むため利便性を著しく向上させたものである。【選択図】      図５
2005066884.tif 000002
【特許請求の範囲】
【請求項１】
合わせ印結合手段と、印面保護手段を有し、前記手段を直角に配したことを  特徴とする合わせ印ホルダー。
【請求項２】
結合手段にあり溝を用いたことを特徴とする前記ホルダー。
【発明の詳細な説明】
【０００１】
【発明の属する技術分野】
本発明は、印鑑のホルダーに関するものであり、住所印などに用いられる、合わせ印に関する。
【０００２】
【従来の技術】
印鑑の印面を保護するためのホルダーは、各種のものが考案されて使用されているが、合わせ印、又は親子印と言われる主として住所印に用いられるゴム印には未だ考案されていない。
【０００３】
【発明が解決しようとする課題】
本考案は従来、保管、運搬に際して印面に付着したインクが、不要な予期せぬ部分に付着する事を防止すると共に、印面にゴミが付着し陰影に悪影響与える欠点を解消した。
上記は、キャップを付けることによって防止することが出来ることは公知事実であるが、
合わせ印に合わせた複数のキャップを用意しなければならないため、実現していなかった。
【０００４】
【問題を解決するための手段】
【０００５】
印判を結合する部分と同形状の支持構造体とした。
【０００６】
印面を保護する構造体を直角に配置Ｌ字構造とした。
【０００７】
印面を保護する構造体を直角に配置Ｔ字構造とした。
【０００８】
印面を保護する構造体を直角に配置Ｔ字構造とした。
さらに、抜け落ち防止補強板を設けた。
【０００９】
【発明の実施の形態】
本考案は、合わせ印結合支持部分と同形状の支持構造体と、印面を保護する構造体を直角に配して、携帯時の強度を増大し、印面の汚れを防止すると共に、携帯、保管に際して、印面に付着したインクが予期せぬ所に付着することを防止し、利便性を著しく向上させたものである。
【００１０】
【実施例】
図１から図７に従って、本考案の各種実施例を説明する。
【００１１】
図１は本考案の主たる用途に用いる、あり溝構造を用いた合わせ印を解説した図である。
【００１２】
ゴム支持体２、は文字の大きさによって厚みが、種々用意される。
また、長さ方向も、組み合わせる文字、１例として住所と郵便番号を組み合わせた場合など、異なる長さになる。
【００１３】
これらが、あり溝結手段１、によって一体となって結合されて利用される。
【００１４】
図２は、突起結合手段１、が採用された図である。
凹凸の突起面が互いに組み合わされて使用される。
【００１５】
図３は磁石結合手段１、が採用された図である。
極性の違う面同士が凹凸面と同様に対局して組み合わされて使用される。
【００１６】
図４は図１の合わせ印が組み合わされ、１、印面保護キャップが装着された、容易に考えられる例である。しかしながら、図示されてはいないが、２、結合された合わせ印は、組合わされる枚数と、長さ方向がまちまちであるのが、合わせ印の特徴であるので、１、印面保護キャップ、は多数必要とされ、このため、実現不可能であった。
【００１７】
図５は本考案の１実施例を示すものである。
１結合支持板と２印面保護板が直角に配置されており、結合あり溝突起に図５で示されるように結合された合わせ印がスライドして装着される。
直角に配置されているため、構造的に機械強度が大きい。また、合わせ印の結合支持板と同じものを使用しており、製造効率が高く、図４の欠点で指摘した、組み合わせ枚数ごとに種類を用意する必要もない。
【００１８】
図６、は本実施例に他の実施例を示すものである。
１、結合支持板、と２、印面保護板をＴ字型に直角に配置し、３、結合あり溝突起を両方に配置した。本実施例では、機械強度はさらに増大し、両方に合わせ印の組を装着できる利点が得られる。
【００１９】
図７、は他の実施例の応用である。
図６、に５補強板を増設したものであって、さらに機械強度と、ホルダーとしての機能が充実され、携帯に際して、鞄壁面などでこすれて、合わせ印が自然に抜け落ちる心配もなくなる。
【００２０】
以上、実施例を、結合支持板にあり溝を用いた例で解説したが、結合支持板の構造は、図２、図３、あるいは種々の例を応用したとしても有効であることは明らかである。
【００２１】
【発明の効果】
本発明によれば、印面保護と、インクの付着を防止できるキャップの機能を果たすことは当然であるが、同一の支持構造体を採用することにより、合わせ印の組み合わせごとに複数の合わせ印ホルダーを用意する必要なく、１種類で済むため、使用するに極めて有用であり、経済効果が高い、また製作する側から見ても、印判と同一の物が利用できるため、経済効果が大きい。
支持構造体と、印面保護構造体を直角に配置したことにより、強度が増大した。
【００２２】
【図面の簡単な説明】
【図１】あり溝を用いた合わせ印を示す図である。
【図２】突起を用いた合わせ印を示す図である。
【図３】磁石を用いた合わせ印を示す図である。
【図４】あり溝を用いた合わせ印にキャップを装着した図である。
【図５】本実施例あり溝を用いた合わせ印の図例１である。
【図６】本実施例あり溝を用いた合わせ印の他の実施例図例２である。
【図７】本実施例あり溝を用いた合わせ印の他の実施例図例３である。
【符号の説明】
図１
１  あり溝結合手段
２  ゴム印支持本体
３  ゴム印
図２
１  突起結合手段
２  ゴム印支持本体
３  ゴム印
図３
１  磁石結合手段
２  ゴム印支持本体
３  ゴム印
図４
１  印面保護キャップ
２  結合された合わせ印
図５
１  結合支持板
２  印面保護板
３  結合あり溝突起
４  結合あり溝へこみ
図６、７
１  結合支持板
２  印面保護板
３  結合あり溝突起
４  結合あり溝突起
５  補強板
【図１】
2005066884.tif 000003
【図２】
2005066884.tif 000004
【図３】
2005066884.tif 000005
【図４】
2005066884.tif 000006
【図５】
2005066884.tif 000007
【図６】
2005066884.tif 000008
【図７】
2005066884.tif 000009
(57)【要約】      （修正有）【課題】ダイボード抜型の劣化した古い刃を、母材ベニヤを傷つけることなく容易に抜き取ることの出来る古刃抜き器を提供する。【解決手段】変心カム６でバール・レバー８を押し、駒部２で刃部を銜え、プライヤー９を閉じる時の底面に働く垂直分力によって刃を引き抜く。【選択図】  図３
2005066812.tif 000002
【特許請求の範囲】
【請求項１】
紙器抜型及び同類抜型のブレード刃交換時に、母材ベニヤの表面を保護しレーザ加工機又は糸鋸盤で切り抜かれた溝壁を痛めることなく、型の表面側から少ない力で古刃を引き抜くことを特徴とする古刃抜き器。
【請求項２】
刃と刃の間隙の狭い複雑抜型の場合に、部分連結されてない部分のベニヤを現状位置の儘で保護し、請求項１に記載したの附属母材保護敷き板。
【発明の詳細な説明】
【技術分野】
【０００１】  この発明は、広く使用されているダイボード抜型の刃の劣化より新しいブレード刃に交換する際、古い刃を積層ベニヤ等の素材で出来ている母材、特に刃の入った溝の壁面を傷つけることなく、容易に抜き取ることが出来る器具である。
【背景技術】
【０００２】  従来の紙器抜型（総称）は、図２に示すように、積層ベニヤを紙箱展開など抜く形状にレーザ加工機又は糸のこ盤で溝切りし、抜く形状に合わせて曲げ加工したブレード刃を溝切りした溝に圧入して抜型を完成する。その製品の使用頻度により刃の消耗が生じるが、同型の新型は最初からの加工工程が加わりため高価であり、当然可能であれば一部又は全部新しい刃のみ交換する事が望まれるが、古刃の抜き取りは非常に困難を極めているのが現状である。
【発明の開示】
【発明が解決しようとする課題】
【０００３】しかしながら、新刃は製造時にすでに圧入され、更に時間の経過とともにベニヤに含む湿気でブレード側面に錆が生じ抜く時の摩擦抵抗がより増大させる。現状の技術では、母材（ベニヤ）を痛めずに旧刃を抜く的確な機器は存在せず、猶一の手段として裏側からブレードと同厚さもしくは薄目の板で叩き出す方策が採られるが、これも技術を要し溝幅を広げて仕舞う場合が多い。
【課題を解決するための手段】
【０００４】  以上の課題を解決するために、本発明は、元の抜型と同じ状態に再生させるには、母材の溝を新型加工時レベル状態の儘で古刃を抜き取るための器具である。その操作は、図３−▲６▼変心カムで▲８▼のバール・レバーを押しテコの原理で、図３−▲２▼駒部で露出している刃部をしかりと銜える力を得る。垂直に引き抜く力は、プライヤー状の先端が閉じる時の底面に働く垂直分力から引き抜く力を得る。当然、直接その反力を母材で受けると木製の母材への損傷を与えることになる。それを防ぐためは刃と刃間隔が広い場合は適宜に厚みのある金属端板を敷けばよく、刃と刃間隔が極めて狭い場合は、その間隙に細く埋め込まれたベニヤ脱落と保護する役目を兼ね備えた図１の２に示すような形状の受け具を通して反力を直接母材に与えず損傷を防止する。その引き抜く反力は小さな握力が数カ所のテコの原理を経て拡大し、強大な引き抜き力となるが母材は痛めない。
しかし、薄いブレードに１箇所のみで一気に長く力を掛けると、複雑な曲が出て母材を予想もしない損傷を及ぼすことがあるので、この発明の特徴のでもある１回の握りに対する引き量３ｍｍを基準として２カ所以上行うか、又は、数個の器具で同時に操作すると効果的である。
【発明の効果】
【０００５】  １回の操作で概ね３ｍｍ抜ける。プライヤーは力を緩めると、開き限界ストッパーまで自動的に開き、図１のトップにある▲６▼の変心締め駒を弛めて再び銜え部をボード面まで押し込み変心締め駒を締付け固定し再度プライヤーを握り締める。この操作を繰り返すことで旧刃に因る怪我・力作業なしで簡単に抜ける。
【発明を実施するための最良の形態】
【０００６】  この発明の一実施形態を、図１に示す。適当な間隔を於いて２丁セットし、同時に平行に抜けるよう操作するとより効果的であると。
長さのある薄いブレードを１丁だけで抜こうとすると、ブレードが変形し母材を痛めてしまう。【０００７】「実施形態の効果」
この実施形態によれば、２箇所の位置を少しずつ移動して行けば完全に母材を痛めず抜き去ることが出来る。【０００８】「他の実施形態」
図１の実施形態では、或る程度の長尺部位に有効であるが、複雑に曲げ加工された部位については、１丁で抜け具合を観察しつつ溝の変形を起こさぬよう行うのがよい。
【産業上の利用可能性】
【０００９】  大型で高価な型ともなれは、時間を掛けて苦労して抜くか、諦めて新型を作ることになるのが普通である。
この発明を用いれば、改めて母材仕上げと溝きり加工が完全に省略され、刃交換のみで新作同様のものを得ることが出来る。その作業は迅速且つ低価格で行えるため作業効率は抜群に向上する。
【図面の簡単な説明】
【００１０】
【図１】この発明の実施形態を示す斜視図である。
【図２】形態を示す側面図である。
【図３】形態を示す正面図である。
【図４】図２の古刃銜え部の部分面図である。
【符号の説明】
【００１１】（図１）１  この発明本体
２  古刃
３  母材ベニヤ
４  母材ベニヤ附属保護板
（図２）１  ベースである母材を傷付けないための捨て板
６  締付けカム・レバー
７  開きストッパー兼直立安定ガイド
９  プライヤー
（図３）２  銜え駒（交換可能）
３  ２の止めボルト
４  要ピン
５  古刃銜え締め付け強さ調整ネジ
６  締付けカム・レバー
８  銜え込み摺動アー厶
９  プライヤー
１０  銜え込み摺動アー厶支えガイド
１１  支えガイド・ピン
１２  傷防止捨て金属板
【図１】
2005066812.tif 000003
【図２】
2005066812.tif 000004
【図３】
2005066812.tif 000005
【図４】
2005066812.tif 000006
(57)【要約】【課題】寝る姿勢に対応でき、寝返りをうちやすい安眠用のまくらを提供すること。【解決手段】横長のまくら１の中央部に、これを横断する方向に肉薄部３を設け、肉薄部３の端部に幅広の第２の肉薄部４を設ける。頭１０を上向きにして肉薄部３に乗せて寝る。体を９０°反転させると、頭１０は横向きとなり、肉厚部１２，１３に乗る。したがって寝返りをうてば、自然にまくらの高さが調整される。【選択図】図２
2005066170.tif 000002
【特許請求の範囲】
【請求項１】
横長のまくらの中央部に、まくらを横断する方向に肉薄部を設けたことを特徴とするまくら。
【請求項２】
前記肉薄部の端部に幅広の第２の肉薄部を設けたことを特徴とする請求項１記載のまくら。
【請求項３】
前記第２の肉薄部に、安眠補助剤を収納するようにしたことを特徴とする請求項２記載のまくら。
【発明の詳細な説明】
【技術分野】
【０００１】
本考案は、寝返りをうちやすい安眠用のまくらに関するものである。
【背景技術】
【０００２】
まくらは、横長の袋体の内部に小さなプラスチック片などの殻材を収納して作られている。人は寝ているときに寝返りをうつ。頭を上向きにしてまくらに乗せて寝ているときは背中が敷ぶとんに接地しているので、まくらの高さは比較的低くてよいが、姿勢を横にし、頭を横向きにしてまくらに乗せて寝るときは、まくらの高さは上向きで寝ている場合よりも高くする必要がある。このように、まくらの望ましい高さは、寝る姿勢によって異なる。
【発明の開示】
【発明が解決しようとする課題】
【０００３】
そこで本発明は、寝る姿勢に対応でき、寝返りをうちやすい安眠用のまくらを提供することを目的とする。
【課題を解決するための手段】
【０００４】
本発明は、横長のまくらの中央部に、まくらを横断する方向に肉薄部を設けた。
【０００５】
望ましくは、前記肉薄部の端部に幅広の第２の肉薄部を設けた。
【０００６】
更に望ましくは、前記第２の肉薄部に、安眠補助剤を収納するようにした。
【発明の効果】
【０００７】
本発明のまくらは、上向きに寝るときは、まくらの中央部の肉薄部に頭を乗せる。体を９０°反転させて寝返りをうつと、頭は横向きとなり、肉薄部から脱し、肉薄部の側部の肉厚部に乗る。したがって寝返りをうっても頭は沈まず、安眠を実現できる。
【発明を実施するための最良の形態】
【０００８】
図１は本発明の実施の形態１におけるまくらの斜視図、図２は肉薄部に頭を乗せて寝ている状態における図１のＡ−Ａ断面図、図３は図１のＢ−Ｂ断面図、図４は折りたたみ状態のまくらの側面図、図５は天日干し中のまくらの正面図である。
【０００９】
図１および図２において、まくら１は横長であり、袋体２の内部に小さなプラスチップ片などの殻材を収納して成っている。その中央部は、まくら１を横断する方向（幅狭の方向）に肉薄部３が形成されている（幅Ｔ１）。肉薄部３の端部にはまくら１の長手方向に横長の第２の肉薄部４が形成されている（幅Ｔ２）。幅Ｔ２は幅Ｔ１よりも大きい。
【００１０】
袋体２の両側部および第２の肉薄部４の正面には開閉部としてのチャック部５，６が設けられている。チャック部５は殻材の出し入れ部である。７は小袋であって、ハーブなどの芳香剤、まくら内部の湿気を吸収する乾燥剤などが収納される。
【００１１】
この小袋７は、チャック部６から第２の肉薄部４の内部に出し入れ自在に収納される。なお芳香剤や乾燥剤などは、小袋７に入れずに、直接第２の肉薄部４に収納してもよい。また第２の肉薄部４には、夏は所謂アイスノンなどの保冷剤を収納し、冬は発熱剤を収納してもよい。すなわち第２の肉薄部４は、上記芳香剤、乾燥剤、保冷剤、発熱剤などの安眠補助剤の収納部となっている。なお、第２の肉薄部４には、安眠補助剤を収納せずに、殻材を収納してもよい。また肉薄部３には殻材が収納されるが、これにも安眠補助剤を収納するようにしてもよい。
【００１２】
まくら１の両側部には把手８が設けられている。このまくら１は、図４に示すように肉薄部２から２つ折りして折り曲げ、把手８を保持して持ち運びしたり、図５に示すように一方の把手８を物干竿９に係止して天日干ししたりすることができる。
【００１３】
図２において、上向きに寝るときは、実線にて示すように頭１０を肉薄部３上に乗せる。この状態で、図３に示すように、首部１１は第２の肉薄部４上に位置するので、首部１１に圧迫感を感じにくい。またこの状態で、第２の肉薄部４に芳香剤を収納している場合は、芳香の香りがし、また保冷剤を収納しているときは首部１１は冷やされ、また発熱剤を収納しているときは、首部１１は暖められる。したがってこのような安眠補助剤の作用により、安眠しやすい。
【００１４】
図２において、体を９０°左や右に反転させて姿勢を変えると、頭１０は横向きとなり、肉薄部３の左右のいずれかの肉厚部１２，１３上に頭１０は乗る（破線で示す頭１０を参照）。背中を敷ぶとん１４に接地させて上向きで寝る場合は、まくらの高さは低い方がよく、横向きに寝る場合は、まくらは高い方がよいが、このまくら１は中央部の肉薄部３の両側部が肉厚部１２，１３になっているので、体を９０°反転させて寝返りをうてば、頭１０は沈まずには破線で示すように自然に肉厚部１２，１３上に乗る。また再び体を９０°反転させてあお向きになれば、上向きとなった頭１０は肉薄部３上に乗るので、寝る姿勢に応じてまくらの高さを自然に調整できることになる。
【００１５】
図６は本発明の実施の形態２におけるまくらの斜視図である。Ｃ−Ｃ断面図は、図２と同じである。まくら２１の中央部には横断する方向の肉薄部２２が形成されており、両側部には把手８が設けられている。この実施の形態２は、第２の肉薄部４を有しない点で実施の形態１と相違している。
【００１６】
このまくら２１の使用方法は実施の形態１と同じであって、上向きに寝るときは頭を肉薄部２２に乗せる。また体を９０°反転させて寝返りをうつと、頭は横向きになって肉薄部２２の両側部の肉厚部２３，２４に乗る。
【産業上の利用可能性】
【００１７】
本発明のまくらは、上向きに寝るときは、まくらの中央部の肉薄部に頭を乗せる。体を９０°反転させて寝返りをうつと、頭は横向きとなり、肉薄部から脱し、肉薄部の側部の肉厚部に乗る。したがって寝返りをうちやすく、安眠を実現できるまくらとして有用である。
【図面の簡単な説明】
【００１８】
【図１】本発明の実施の形態１におけるまくらの斜視図
【図２】本発明の実施の形態１における肉薄部に頭を乗せて寝ている状態におけるまくらの断面図
【図３】本発明の実施の形態１におけるまくらの断面図
【図４】本発明の実施の形態１における折りたたみ状態のまくらの側面図
【図５】本発明の実施の形態１における天日干し中のまくらの正面図
【図６】本発明の実施の形態２におけるまくらの斜視図
【符号の説明】
【００１９】
１，２１  まくら
２  袋体
３，２２  肉薄部
４  第２の肉薄部
８  把手
１０  頭
１１  首部
１２，１３，２３，２４  肉厚部
【図１】
2005066170.tif 000003
【図２】
2005066170.tif 000004
【図３】
2005066170.tif 000005
【図４】
2005066170.tif 000006
【図５】
2005066170.tif 000007
【図６】
2005066170.tif 000008
(57)【要約】【課題】  従来の歯ブラシのブラシ部分に超音波振動子を装着した超音波歯ブラシは、超音波振動子から照射される超音波は単一の周波数の振動であるため、歯垢除去効果や歯周組織のマッサージ効果が固定されてしまう。【解決手段】  植設されたブラシと超音波振動子を支持する支持部材とを設け、ブラシ部分ブラシ部分のブラシの間に超音波振動子を支持部材で支持するものであり、さらに、超音波振動子から２つの周波数の振動を照射することにより、歯垢除去効果や歯周組織のマッサージ効果の固定をを防ぐことを特徴とする。【選択図】        図１
2005066024.tif 000002
【特許請求の範囲】
【請求項１】
植設されたブラシと超音波振動子を支持する支持部材とを設けたブラシ部分と、前記超音波振動子に発振出力を印加する発振器及び該発振器に電力を供給する電源と内蔵した柄部分とからなる超音波歯ブラシ。
【請求項２】
前記超音波振動子の径方向振動及び縦方向振動をする周波数の出力を交互に前記発振器から出力するように構成することを特徴とする請求項１記載の超音波歯ブラシ。
【発明の詳細な説明】
【技術分野】
【０００１】
本発明は、超音波振動子から２つの振動を照射することにより、歯垢の除去を有効にするようにした超音波歯ブラシに関するものである。
【背景技術】
【０００２】
この種の超音波歯ブラシとしては、歯ブラシのブラシ部分に超音波振動子を装着したものが知られている。
【０００３】
しかしながら、このような超音波歯ブラシは、超音波振動子から照射される超音波は単一の周波数の振動であるため、歯垢除去効果や歯周組織のマッサージ効果が固定されてしまう。
【特許文献１】特開２００３−８８４２６
【発明の開示】
【発明が解決しようとする課題】
【０００４】
解決しようとする問題点は、単一の振動による歯垢除去効果や歯周組織のマッサージ効果が固定されるのを防ぐことである。
【課題を解決するための手段】
【０００５】
本発明は、ブラシ部分のブラシの間に超音波振動子を支持部材で支持するものであり、さらに、超音波振動子から２つの周波数の振動を照射することにより、歯垢除去効果や歯周組織のマッサージ効果が固定することを防ぐことを特徴とする。
【発明の効果】
【０００６】
本発明の超音波歯ブラシは、超音波歯ブラシのブラシ部分にブラシを植設するとともに、超音波振動子を支持部材で支持することにより、ブラシで歯を洗浄するとともに、超音波振動子から発生する２つの周波数の超音波により、歯垢を除去し、又、マッサージを有効にする相乗効果を得られるという利点がある。
【発明を実施するための最良の形態】
【０００７】
図１は本発明の超音波歯ブラシの斜視図、図２は図１の超音波歯ブラシの一部断面側面図で、超音波歯ブラシはブラシ部分１と柄部分２からなり、ブラシ部分１にブラシ３が多数植設され、ブラシ３の間に支持部材４が装着され、支持部材４の内面に超音波振動子５が装着されている。
【０００８】
又、柄部分２の内部に発振器６及び電源７が装着され、図３に示すように、発振器６は超音波振動子５の厚み方向振動を発生する周波数の出力を超音波振動子５に印加する第１の発振器６ａと、超音波振動子５の径方向振動を発生する周波数の出力を超音波振動子５に印加する第２の発振器６ｂとからなり、第１、第２の発振器６ａ、６ｂの出力は切り替え装置８を介して超音波振動子５に印加される。
【０００９】
このように構成した本実施例の超音波歯ブラシでは、ブラシ部分１のブラシ３の高さより支持部材４の高さを低くなるように装着しているので、支持部材４がブラシ３による歯磨きの邪魔にならないように構成され、又、支持部材４に装着した超音波振動子５から交互に所望の時間ごとに超音波振動子５の縦振動と径振動を発生するように、発振器６の第１、第２の発振器６ａ、６ｂからの発振出力を切り替え装置８で切り替えて入力しているので、歯垢の除去においてブラシ３によるブラッシングと併用して大きな効果が得られ、又、歯の周囲の組織のマッサージ効果がその組織の位置の深さ方向を変化させることができる。
【産業上の利用可能性】
【００１０】
なお、上記実施例では、発振器６の第１、第２の発振器６ａ、６ｂから超音波振動子５が縦振動と径振動を発生するように発振出力を印加することにより、周波数切り替え時の突入電力が発生するため、単一周波数に比べて低い駆動電力で超音波振動子５を駆動することができ、又、縦振動においても、±数キロヘルツを自動的に移動させることにより同じ効果を得ることができる。
【図面の簡単な説明】
【００１１】
【図１】図１は本発明の実施例の超音波歯ブラシの斜視図である。
【図２】図２は図１の超音波歯ブラシの一部断面側面図である。
【図３】図３は図１の超音波歯ブラシの駆動回路のブロック図である。
【符号の説明】
【００１２】
１          ブラシ部分
２          柄部分
３          ブラシ
４          支持部材
５          超音波振動子
６          発振器
７          電源
８          切り替え装置
【図１】
2005066024.tif 000003
【図２】
2005066024.tif 000004
【図３】
2005066024.tif 000005
(57)【要約】【課題】  超音波歯茎マッサージ器は、板状の圧電振動子から照射される超音波は単一方向であり、又、単一の周波数の振動であるため、洗浄最適部やマッサージ深さが固定されてしまう。【解決手段】  超音波照射部分に円筒型の超音波振動子を装着するものであり、さらに、超音波振動子から円筒型の径振動、厚み振動及び長さ振動の３つの周波数の超音波振動を照射することにより、洗浄最適部やマッサージ深さが固定することを防ぐことを特徴とする。【選択図】        図１
2005066025.tif 000002
【特許請求の範囲】
【請求項１】
円筒型の超音波振動子を内蔵した超音波照射部分と、前記超音波振動子に発振出力を印加する発振器及び該発振器に電力を供給する電源と内蔵した柄部分とからなる超音波口腔衛生器。
【請求項２】
前記超音波振動子に切り替え回路を介して前記発振器を接続し、前記超音波振動子の径方向振動、厚み方向振動及び長さ方向振動をする周波数の出力を交互に前記発振器から出力し、切り替え回路で切り替えて出力するように構成することを特徴とする請求項１記載の超音波口腔衛生器。
【請求項３】
前記超音波照射部の周囲にブラシを植設したことを特徴とする請求項１又は２記載の超音波口腔衛生器。
【発明の詳細な説明】
【技術分野】
【０００１】
本発明は、円筒型の超音波振動子から円周方向に超音波振動を照射することにより、口腔衛生器本体を動かすことなく口腔内を洗浄及び歯垢除去することができる超音波口腔衛生器に関するものである。
【背景技術】
【０００２】
超音波照射部分に超音波振動子を装着したものとして、図４に示すように、筒状胴部１ａと柄部１ａによってマッサージ器本体１が構成され、筒状胴部１ａ内に発振器２が装着され、又、発振器２に電力を印加する電源３が装着され、さらに、柄部１ｂの先端に板状の圧電振動子４が埋設され、この圧電振動子４に発振器２から発振出力が印加され、さらに、柄部１ｂの先端周囲に柔軟材（ゴム、樹脂等）５がキャップ状に装着され、筒状胴部１ａの外部に発振器２の発振出力をオン・オフするスイッチ６が装着された歯茎をマッサージ器を提案した。
【０００３】
しかしながら、このような超音波歯茎マッサージ器は、板状の圧電振動子４から照射される超音波は単一方向であり、又、単一の周波数の振動であるため、洗浄最適部及びマッサージ深さが固定されてしまう。
【特許文献１】特願２００１−２１４６６２
【発明の開示】
【発明が解決しようとする課題】
【０００４】
解決しようとする問題点は、単一方向及び単一の振動による洗浄効果や歯垢除去効果及びマッサージ効果の位置が固定されるのを防ぐために、全周方向に超音波を照射し、又、複数の周波数の超音波振動を発生することである。
【課題を解決するための手段】
【０００５】
本発明は、超音波照射部分に円筒型の超音波振動子を装着するものであり、さらに、超音波振動子から円筒型の径振動、厚み振動及び長さ振動の３つの周波数の超音波振動又は３つの超音波振動の内の２つの振動を照射することにより、洗浄効果や歯垢除去効果及びマッサージ効果が固定することを防ぐことを特徴とする。
【発明の効果】
【０００６】
本発明の超音波口腔衛生器は、超音波照射部分に円筒型の超音波振動子を装着することにより、円筒型の超音波振動子から円周方向に超音波を照射することができるので、口腔衛生器本体を動かすことなく、洗浄効果や歯垢除去効果及びマッサージを有効にすることができ、さらに、円筒型の超音波振動子の径方向、厚み方向及び長さ方向の超音波振動を照射することができるので、洗浄効果や歯垢除去効果及びマッサージ効果の相乗効果を得られるという利点がある。
【発明を実施するための最良の形態】
【０００７】
図１は本発明の超音波口腔衛生器の斜視図、図２は図１の超音波口腔衛生器の側面断面図で、口腔衛生器本体７は超音波照射部分７ａと柄部分７ｂからなり、超音波照射部分７ａの内部に円筒型の超音波振動子８が装着され、又、柄部分７ｂの内部に発振器９及び電源１０が装着され、さらに、柄部分７ｂに発振器９の出力をオン、オフするスイッチ１１が装着されている。
【０００８】
このように構成した本実施例の超音波口腔衛生器では、超音波振動子８に発振器９から発振出力が印加されると、円筒型の超音波振動子８の全周から超音波振動が発生するので、口腔衛生器本体７を回転したり、前後に移動することなく、超音波照射部分７ａが挿入されている口腔部分全体に超音波が照射され、口腔内の殺菌液との相乗効果で口腔内を洗浄することができる。
【０００９】
図３は円筒型の超音波振動子の３つの超音波振を発生するブロック図で、超音波振動子８は径（ｄ）方向振動、厚み（ｔ）方向振動及び長さ（Ｌ）方向振動の超音波を発生することができるので、このために、発振器９は、超音波振動子５の径方向振動を発生する周波数の出力を超音波振動子８に印加する第１の発振器９ａと、超音波振動子８の厚み方向振動を発生する周波数の出力を超音波振動子５に印加する第２の発振器９ｂと、超音波振動子８の長さ方向振動を発生する周波数の出力を超音波振動子５に印加する第３の発振器９ｃからなり、第１、第２、第３の発振器９ａ、９ｂ、９ｃの出力は切り替え回路１２を介して順次超音波振動子５に印加される。
【００１０】
このように構成した本実施例の超音波口腔衛生器では、第１、第２、第３の発振器９ａ、９ｂ、９ｃからの発振出力を切り替え回路１２で順次切り替えて超音波振動子８に印加することにより、超音波振動子８から径方向振動、厚み方向振動及び長さ方向振動が発生するので、歯垢の除去及び歯の周囲の組織のマッサージ効果がその組織の位置の深さ方向を変化させることができ、さらに、発振器９の第１、第２、第３の発振器９ａ、９ｂ、９ｃから超音波振動子８が径振動、厚み振動及び長さ振動を発生するように発振出力を印加することにより、周波数切り替え時の突入電力が発生するため、単一周波数に比べて低い駆動電力で超音波振動子５を駆動することができる。
【産業上の利用可能性】
【００１１】
なお、上記実施例では、超音波照射部分７ａの周囲に歯ブラシのブラシを装着することにより、ブラッシングとともに超音波を照射して、より衛生効果を得ることができる。
【図面の簡単な説明】
【００１２】
【図１】図１は本発明の実施例の超音波口腔衛生器の斜視図である。
【図２】図２は図１の超音波口腔衛生器の側面断面図である。
【図３】図３は図１の超音波振動子を駆動するブロック図である。
【図４】図４は従来の歯茎マッサージ器の斜視図である。
【符号の説明】
【００１３】
７          口腔衛生器本体
８          超音波振動子
９          発振器
１０          電源
１１          スイッチ
１２          切り替え装置
【図１】
2005066025.tif 000003
【図２】
2005066025.tif 000004
【図３】
2005066025.tif 000005
【図４】
2005066025.tif 000006
(57)【要約】      （修正有）【課題】風車の装飾的効果を高めるとともに、風車の回転による色彩や反射光の変化をより効果的にし、装飾的利用や玩具的利用のほか鳥獣害の防止対策用具としても役立てること。【解決手段】円盤または光ディスク１を支持部２によって軸部分３に取りつけ、風車の回転翼とする。また円盤または光ディスクを風車の回転翼もしくは軸部分に取り付けた形もできる。円盤または光りディスクは色彩や模様を施したものであってもよい。また取り付けた円盤または光ディスクの中心部に回転軸をもうけ、さらにそれ自体も回転させるようにできる。【選択図】図１
2005066086.tif 000002
【特許請求の範囲】
【請求項１】
円盤または光ディスクを回転翼とした風車、および風車の回転翼もしくは軸部分に円盤または光ディスクを取り付けた風車
【請求項２】
円盤または光ディスクを回転翼とした風車、および風車の回転翼もしくは軸部分に円盤または光ディスクを取り付けた風車で、取り付けた円盤または光ディスク自体も回転することができるようにした風車
【発明の詳細な説明】
【技術分野】
【０００１】
本発明は風車に円盤または光ディスクを取り付け装飾的な効果を得るとともに、回転によって生ずる色彩や反射光の変化をより効果的に得られるよにした風車に関するものである。
【背景技術】
【０００２】
従来の風車は回転する事によって風を起こすか、風を受けて風車が回転する事を目的としているため、装飾的効果の高いものは少なかった。また風車の回転による色彩や反射光の変化などを効果的に利用したものも少なかった。
【特許文献１】特開２００２−３４４２７号公報
【発明の開示】
【発明が解決しようとする課題】
【０００３】
風車の装飾的効果を高めるとともに、風車の回転による色彩や反射光の変化をより効果的にして装飾的利用や玩具的利用のほか鳥獣害の防止対策用具としても役立てることを課題とする。
【課題を解決するための手段】
【０００４】
本発明は円盤または光ディスクを風車の回転翼とするか、風車の回転翼もしくはその軸部分に円盤または光ディスクを取り付けたものであり、さらにそれらの円盤または光ディスク自体も回転できるようにしたものである。
【発明の効果】
【０００５】
本発明の風車は円盤または光ディスクを風車の回転翼とするか、風車の回転翼もしくはその軸部分に円盤または光ディスクを取り付けることにより装飾的効果が得られ、回転することにより効果的な色彩や反射光の変化が得られるものである。色彩や模様等を施した円盤または光ディスクを取り付ければさらに効果的なものとなる。また取り付けた円盤または光ディスク自体も回転させるようにすればより複雑な色彩や反射光の変化を得ることができる。それらの効果によって装飾的利用や玩具的利用のほか、鳥獣害の防止対策用具としても利用できるものである。
【発明を実施するための最良の形態】
【０００６】
風車の装飾的効果を高めるともに風車が回転することによる色彩や反射光の変化を効果的にするため、円盤または光ディスクを風車の回転翼とするか、風車の回転翼もしくはその軸部分に円盤または光ディスクを取り付けたものとした。また取り付けた円盤または光ディスク自体も回転できるようにした。
【実施例１】
【０００７】
図１は、本発明の１実施例の斜視図であって円盤または光ディスク１を支持部２により軸部分３に取り付け回転翼としたものである。また図２はその平面図である。
【実施例２】
【０００８】
図３は図１で回転翼とした円盤または光ディスク１の中心部に回転軸４を取り付け、円盤または光ディスク自体も回転できるようにして、より複雑な色彩や反射光の変化を得られるようにしたものである。
【実施例３】
【０００９】
図４は風車の回転翼５に円盤または光ディスク１を取り付けたものである。
【実施例４】
【００１０】
図５は風車の軸部分３に支持部２により円盤または光ディスク１を取り付けたものである。
【産業上の利用可能性】
【００１１】
風車に装飾的効果があり、さらに回転することによって効果的な色彩や反射光の変化が得られるため、装飾を目的とした利用のほか玩具としても利用でき、鳥獣害の防止対策用具としても利用できる。  
【図面の簡単な説明】
【００１２】
【図１】円盤または光ディスクを取り付けた風車の説明図である。（実施例１）
【図２】（実施例１）の平面図である。
【図３】円盤または光ディスク自体も回転できるようにした風車の説明図である。            （実施例２）
【図４】風車の回転翼に円盤または光ディスクを取り付けた風車の説明図である。            （実施例３）
【図５】風車の軸部分に円盤または光ディスクを取り付けた風車の説明図である。            （実施例４）
【符号の説明】
【００１３】
１    円盤または光ディスク
２    支持部
３    軸部分
４    回転軸
５    風車の回転翼
【図１】
2005066086.tif 000003
【図２】
2005066086.tif 000004
【図３】
2005066086.tif 000005
【図４】
2005066086.tif 000006
【図５】
2005066086.tif 000007
(57)【要約】【課題】爪に接着された矯正板が、矯正中に爪から剥がれにくい巻き爪矯正具及び矯正方法を提供することを目的とする。【解決手段】接着剤１１により屈曲した爪２の表面に矯正板１０を接着した後、矯正板１０の表面を含む爪２の表面に固化剤１２を塗布する。矯正板１０の原形復元力により、爪２は徐々に正常な形状に矯正される。矯正が終了したならば、ピン状の治具１３により、矯正板１０と固化剤１２を爪２の表面から剥ぎ取る。矯正板１０は固化剤１２で覆われているので、矯正中に爪２から不要に剥がれにくい【選択図】        図１
2005066003.tif 000002
【特許請求の範囲】
【請求項１】
接着剤により爪の表面に接着される矯正板と、この矯正板の表面を含む爪の表面に塗布されて固化する固化剤とから成ることを特徴とする巻き爪矯正具。
【請求項２】
接着剤により爪の表面に矯正板を接着する工程と、矯正板の表面を含む爪の表面に固化剤を塗布する工程とを含むことを特徴とする巻き爪矯正方法。
【発明の詳細な説明】
【技術分野】
【０００１】
本発明は、内側に屈曲変形した爪を正常な形状に矯正するための巻き爪矯正具及び矯正方法に関するものである。
【背景技術】
【０００２】
人体の爪、特に足の親指の爪は、その側縁部が内側に巻き込むように変形しやすい。図５は、従来の足の親指の巻き爪を示す図である。指１の表面の爪２の両側縁部２ａは内側に巻き込むように屈曲変形している。図中、鎖線は正常な爪を示している。このような巻き爪は、単に外観が見苦しいだけでなく、靴をはいたときなどに指肉を圧迫し、炎症をともなう激しい痛みを生じることもある。
【０００３】
巻き爪を矯正する方法として、板ばねを接着剤により爪の表面に接着し、板ばねの原形復元力により屈曲した爪を正常な形状に矯正することが知られている。このような素材としては、鋼板や樹脂板などの板ばね以外にも、形状記憶合金板や形状記憶樹脂板などの形状記憶板等が知られている（特許文献１、２）。本発明では、板ばねや形状記憶板等の爪の矯正に用いられる板体を矯正板という。
【０００４】
しかしながら従来の矯正板は、矯正中に爪から剥がれやすいものであった。
【特許文献１】特開平０８−２１５２２７号公報
【特許文献２】特開平０９−２５３１１０号公報
【発明の開示】
【発明が解決しようとする課題】
【０００５】
そこで本発明は上記従来の矯正板の問題点を解消し、矯正中に矯正板が爪から剥がれにくく、屈曲した爪をしっかりと矯正でき、また矯正中の外観性もよい巻き爪矯正具及び矯正方法を提供することを目的とする。
【課題を解決するための手段】
【０００６】
請求項１の巻き爪矯正具は、接着剤により爪の表面に接着される矯正板と、この矯正板の表面を含む爪の表面に塗布されて固化する固化剤とから成る。
【０００７】
請求項２の巻き爪矯正方法は、接着剤により爪の表面に矯正板を接着する工程と、矯正板の表面を含む爪の表面に固化剤を塗布する工程とを含む。
【発明の効果】
【０００８】
本発明は、矯正板の原形復元力により巻き爪を正常な形状に矯正するが、矯正板の表面を含む爪の表面に矯正板を覆うように固化剤が塗布されているので、矯正板は矯正中に爪から剥がれにくい。また矯正板の段差をなくして爪の表面を滑らかにコーティングでき、外観性もよい。矯正が終了したならば、ピン状の治具などにより固化剤と一体的に矯正板を爪の表面から簡単に剥ぎ取ることができる。
【発明を実施するための最良の形態】
【０００９】
以下、本発明の実施の形態を図面を参照して説明する。図１は巻き爪矯正中の足の親指の斜視図、図２は同正面図、図３および図４は矯正板の平面図である。
【００１０】
図３に示す矯正板１０は、鋼板や樹脂板などの板ばね、形状記憶合金板や形状記憶樹脂板などの形状記憶板等の変形した爪の矯正力を有する素材から成っており、これをハサミなどにより爪の幅程度の長さに切断して使用する（図３の破線参照）。なお図４に示すように、矯正板１０は、例えば１６ミリ、１８ミリ、２０ミリなどの所望の長さに予め成形したものや切断したものでもよい。
【００１１】
図１および図２に示すように、この矯正板１０を接着剤１１により足の親指１の爪２の表面に接着し、更にその上から固化剤１２をハケなどの塗布具により塗布する。この場合、固化剤１２は矯正板１０の表面を含む爪２の表面に、矯正板１０を覆うように塗布する。固化剤１２としては、美容用ネイルスカルプチャー（人工爪）などに使用されている固化剤などの迅速に固化する性質と固化状態で若干の弾性を有する性質とを具有するものが望ましい。
【００１２】
図２に示すように矯正板１０を爪２の表面に接着し、且つその上から固化剤１２を塗布・固化させた状態で、爪２の両縁部には、矯正板１０が原形に復元しようとする原型復元力Ｆが作用する。したがって爪２にはこれを正常な形へ戻す力が作用し、その屈曲形状は徐々に矯正される。また矯正板１０を覆うように固化剤１２を塗布しているので、矯正板１０は矯正中に爪２から剥がれにくく、また矯正板１０の段差をなくして爪２の表面を滑らかにコーティングでき、外観性もよい。また固化剤１２を着色すれば、より一層外観性をよくすることができる。
【００１３】
爪が正常な形状に矯正されたならば、ピン状などの先の鋭った治具１３の先端を矯正板１０若しくは固化剤１２の端部に差し込み、両者を強制的に剥ぎ取る（図２において鎖線で示す矯正板１０と固化剤１２を参照）。以上により巻き爪の矯正は終了する。
【産業上の利用可能性】
【００１４】
本発明に係る巻き爪矯正具及び矯正方法は、矯正板の原形復元力により巻き爪を正常な形状に矯正するが、矯正板の表面を含む爪の表面に矯正板を覆うように固化剤が塗布されているので、矯正板は矯正中に爪から剥れにくい。また矯正板の段差をなくして爪の表面を滑らかにコーティングでき、外観性もよい。矯正が終了したならば、ピン状の治具などにより固化剤と一体的に矯正板を爪の表面から簡単に剥ぎ取ることが可能であり、内側に屈曲変形した爪を正常な形状に矯正するための巻き爪矯正具及び矯正方法等として有用である。
【図面の簡単な説明】
【００１５】
【図１】巻き爪矯正中の足の親指の斜視図
【図２】巻き爪矯正中の正面図
【図３】矯正板の平面図
【図４】矯正板の平面図
【図５】従来の足の親指の巻き爪を示す図
【符号の説明】
【００１６】
１  指
２  爪
１０  矯正板
１１  接着剤
１２  固化剤
１３  治具
【図１】
2005066003.tif 000003
【図２】
2005066003.tif 000004
【図３】
2005066003.tif 000005
【図４】
2005066003.tif 000006
【図５】
2005066003.tif 000007
(57)【要約】【課題】  鏡３をミラーキャビネット本体１から容易に分離させることができ、廃棄時に容易に分別できるミラーキャビネットの鏡取付構造を提供する。【解決手段】  ミラーキャビネット本体１の前面側に接着剤４で鏡３を取付けるミラーキャビネットの鏡取付構造であって、ミラーキャビネット本体１の後面側に、接着剤貼付部４ａを囲むように溝部１１を全周にわたって設けた。  ミラーキャビネット本体１の前面側に接着剤貼付部４ａを囲むように突起部１２を設ける。【選択図】図２
2005066066.tif 000002
【特許請求の範囲】
【請求項１】
ミラーキャビネット本体の前面側に接着剤で鏡を取付けるミラーキャビネットの鏡取付構造であって、ミラーキャビネット本体の前面側に接着剤貼付部を設け、ミラーキャビネット本体の後面側に、前面側の接着剤貼付部の周囲を囲むように溝部を全周にわたって設けたことを特徴とするミラーキャビネットの鏡取付構造。
【請求項２】
ミラーキャビネット本体の前面側に接着剤貼付部を囲むように突起部を設けたことを特徴とする請求項１記載のミラーキャビネットの鏡取付構造。
【発明の詳細な説明】
【技術分野】
【０００１】
本発明は、接着剤にて鏡を取り付けたミラーキャビネットを廃却する際に、ミラーキャビネット本体から鏡を容易に分別にすることに関するものである。
【背景技術】
【０００２】
従来から、ミラーキャビネット本体に鏡を取り付けるために、鏡の上端部をフックと両面テープで固着し、鏡の下端部をフックで係止して鏡をミラーキャビネット本体に取り付ける構造のものがあった（例えば、特開２０００−２９６０６６号公報参照）。
【０００３】
しかしながら、この場合には、鏡とミラーキャビネット本体とが両面テープで接着されているため、ミラーキャビネット本体から鏡を分離させるには、接着をはがさなければならず、大きな力が必要となり、廃棄の際の分別が非常に困難であったという問題があった。
【特許文献１】特開２０００−２９６０６６号公報
【発明の開示】
【発明が解決しようとする課題】
【０００４】
本願発明は、上記背景技術に鑑みて発明されたものであり、その課題は、鏡をミラーキャビネット本体から容易に分離させることができ、廃棄時に容易に分別できるミラーキャビネットの鏡取付構造を提供することである。
【課題を解決するための手段】
【０００５】
上記課題を解決するために、本願発明は、ミラーキャビネット本体の接着剤貼付部の後面側に、接着剤貼付部を囲むように溝部を全周にわたって設けたものである。
【発明の効果】
【０００６】
本願発明のミラーキャビネットの鏡取付構造においては、ミラーキャビネット本体の後面側に、接着剤貼付部の周囲を囲むように溝部を全周にわたって設けているため、溝部に沿ってナイフ等の切断手段によって容易に接着剤部分だけを切除でき、鏡を容易にミラーキャビネット本体から取り外すことができるようになる。
【発明を実施するための最良の形態】
【０００７】
図１は、本願発明にかかるミラーキャビネットの鏡取付構造により鏡３を取付けられたミラーキャビネット本体１を備えた洗面化粧台を示している。この洗面化粧台は、本体キャビネット２の上にミラーキャビネット本体１を現場で設置し、壁面にネジ等の固定部材で固定することにより、洗面化粧台となるものであって、ミラーキャビネット本体１には収納棚１０、本体キャビネット２には、洗面ボール５、水栓レバー７、シャワーヘッド６、排水栓８、扉９等が設けられている。
【０００８】
図２は、本願の請求項１、２に対応した一実施形態であるミラーキャビネットの鏡取付構造を示している。この実施形態のミラーキャビネットの鏡取付構造は、図２に示す如く、ミラーキャビネット本体１は合成樹脂製であり、ミラーキャビネット本体１の前面側には、ミラーキャビネット本体１の鏡取付部の左右端部および上端部に複数個の接着剤貼付部４ａが設けられている。ミラーキャビネット本体１の後面側には、前面側に設けられている接着剤貼付部４ａの周囲を囲むように溝部１１を全周にわたって設けている。
【０００９】
また、溝部１１は断面略Ｖ字状であり、ナイフ等の切断手段により容易に切断できるように、他の箇所に比べ薄肉となっている。また、ミラーキャビネット本体１の前面側には、接着剤貼付部４ａを囲むように突起部１２が設けられている。なお、この突起部１２は、接着剤貼付部４ａの周囲に連続的に形成されていても、断続的に形成されていてもよい。
【００１０】
ミラーキャビネット本体１に鏡３を取り付ける手順としては、突起部１２に囲まれた接着剤貼付部４ａに両面テープ又はホットメルト等の接着剤４を貼付する。そして、鏡３をミラーキャビネット本体１に接着固定する。なお、接着剤４による固着だけでは、強度的に不十分な場合には、鏡の上下端部に図示しない鏡固定部材を取付けて、ミラーキャビネット本体１と固定してもかまわない。
【００１１】
このように、ミラーキャビネット本体１は、合成樹脂製であり、ミラーキャビネット本体１の後面側に、接着剤貼付部４ａを囲むように溝部１１を全周にわたって設けているので、商品交換や廃却時にミラーキャビネットを壁面から取り外し、溝部１１をナイフ等の切断手段によって容易に接着剤貼付部４ａの周囲を切断でき、鏡３とミラーキャビネット本体１とを切り離し、鏡３とミラーキャビネット本体１とを分別できるようになる。
【００１２】
また、ミラーキャビネット本体１の前面側には、接着剤貼付部４ａを囲むように突起部１２が設けられているので、両面テープやホットメルト等の接着剤４の貼付場所が容易に分かるとともに、接着剤４の貼付場所を間違わずにすみ、溝部１１に沿って切断すれば、必ず、接着剤貼付部４ａの周囲を切断でき、鏡３とミラーキャビネット本体１との分別を間違いなくできるようになる。
【図面の簡単な説明】
【００１３】
【図１】本願発明の一実施形態に係るミラーキャビネットを備えた洗面化粧台の正面図である。
【図２】本願発明の一実施形態に係るミラーキャビネットの鏡取付構造を示す一部断面図である。
【符号の説明】
【００１４】
１  ミラーキャビネット本体
２  本体キャビネット
３  鏡
４  接着剤
４ａ接着剤貼付部
５  洗面ボール
６  シャワーヘッド
７  水栓レバー
８  排水栓
９  扉
10  収納棚
11  溝部
12  突起部
【図１】
2005066066.tif 000003
【図２】
2005066066.tif 000004
(57)【要約】【課題】  展示会で作品額を掲示する際、額が前かがみになって作品が観賞しにくい上に前傾した額が不揃いになりやすく、会場の美観を損ねていた。【解決手段】固体の一方に額縁を掴む爪部（１）を、また、他方に額の吊り線を抱き込む懐部（２）を設けて、吊り線の張力で額を引き起こすようにした、展示額の前かがみ緩和具。【選択図】  図３
2005261893.tif 000002
【特許請求の範囲】
【請求項１】
固体に爪部（１）と懐部（２）を設け、爪部（１）で額縁を掴み、懐部（２）で吊り線を抱き込むことにより、吊り線と額が離れないようにした、展示額の前かがみ緩和具。
【発明の詳細な説明】
【技術分野】
【０００１】  この発明は、写真展や絵画展等で作品を展示する際に、額に生じる前傾を緩和させる、展示額の前かがみ緩和具に関する。
【背景技術】
【０００２】  従来、写真や絵画などの作品額を壁面等に掲示する際、多くの場合、天井際から下げらた吊り線を額の裏側で額紐と連結させるため、構造上、図５のように額が前かがみになり、鑑賞し難い上に会場の美観を損ねていた。
【発明の開示】
【発明が解決しようとする課題】
【０００３】イ、紐取付け金具の位置など、構造上、額は当然前傾するが、それを防ぐために壁に留め    具などを使用することは、殆んどの場合禁止事項になっている。
ロ、展示作品は横長と縦長のものが混在するので、額の頂上部における壁面と額との間隔    が不揃いになって美観を損ねている。
ハ、作品は一般的に観賞者の目線の高さに合わせるため、作品が前かがみでは非常に鑑賞    しにくい。
【課題を解決するための手段】
【０００４】  上記の課題を解決するため、額や吊り線を改造をせずに展示額の前かがみを緩和する手段として、額縁の上辺と額吊り線が互いに引っ張り合って、額面を鉛直にする部品を考案した。
【発明の効果】
【０００５】  以上のように考案した本発明を使用すると、額の上辺は張力のかかった吊り線に引っ張られ、図６のように作品の前かがみを緩和することが出来たため、展示会場の美観向上に寄与し、併せて作品が見やすくなって鑑賞者から好評を得ることができた。
【発明を実施するための最良の形態】
【第１実施例】
【０００６】  第１実施例では、図１のように固体にバネ材を用い、両端を折り曲げて額の前面上辺を引っ掛けるための爪部（１）を作り、また中央部を湾曲させて吊り線を抱き込むための懐部（２）を作成した。
このように構成された本発明を使用するときは、先ず従来通りに額を吊るしたあと、吊り線を懐部（２）へ抱き込み、さらに爪部（１）を額の前面上辺へ引っ掛ける。その結果、額の上辺は図３のようにバネ材を介して、張力のかかった吊り線に引き起こされるようにした。
【第２実施例】
【０００７】  第２実施例は固体にプラスチック材を使用したもので、図２のように爪部（１）から懐部（２）まで切り割りして、額の重みで張力の掛かったままの吊り線を懐部（２）へ容易に導けるようにした。この場合、先ず従来通りに額を吊るし、その上で切り割りを経由して懐部（２）へ吊り線を導き、さらに爪部（１）を額の前面上辺へ引っ掛けるようにした。
その結果図４のように、額の上辺はプラスチック材を介して張力のかかった吊り線に引き起こされるようにした。
【図面の簡単な説明】
【０００８】
【図１】  本発明の第１実施例斜視図
【図２】  本発明の第２実施例斜視図
【図３】  本発明の第１実施例装着図
【図４】  本発明の第２実施例装着図
【図５】  従来の側面状況図
【図６】  本発明を使用した側面状況図
【符号の説明】
１  爪部
２  懐部
【図１】
2005261893.tif 000003
【図２】
2005261893.tif 000004
【図３】
2005261893.tif 000005
【図４】
2005261893.tif 000006
【図５】
2005261893.tif 000007
【図６】
2005261893.tif 000008